(57)【要約】      （修正有）【課題】着物の出し入れが容易にでき、紫外線透過による色やけの発生を可及的に低減し、しかも、袋体内に収納した着物を、袋体を開封することなく容易に確認することができる実用性に優れた画期的な着物保管袋を提供する。【解決手段】合成樹脂フィルム１を用いて平面視長方形の袋体２を形成し、この袋体２の一辺部に着物３を出し入れし得る開口部を開閉自在に設けた着物保管袋において、前記袋体２は、全面に紫外線を遮断する紫外線遮断剤を塗工すると共に、透明な覗き窓部５を設けて、この覗き窓部５から前記袋体２内に収納した着物３を視認し得る構成とし、前記開口部は、前記袋体２の一側長辺部に設けると共に、この一側長辺部全体が開口するように構成した着物保管袋。【選択図】図２
0003194168.tif 000002
【実用新案登録請求の範囲】
【請求項１】
合成樹脂フィルムを用いて平面視長方形の袋体を形成し、この袋体の一辺部に着物を出し入れし得る開口部を開閉自在に設けた着物保管袋において、前記袋体は、全面に紫外線を遮断する紫外線遮断剤を塗工すると共に、透明な覗き窓部を設けて、この覗き窓部から前記袋体内に収納した着物を視認し得る構成とし、前記開口部は、前記袋体の一側長辺部に設けると共に、この一側長辺部全体が開口するように構成したことを特徴とする着物保管袋。
【請求項２】
前記合成樹脂フィルムは、抗菌剤を塗工すると共に、アルミナを蒸着した構成として、抗菌性とガスバリア性を付与した構成としたことを特徴とする請求項１記載の着物保管袋。
【請求項３】
前記合成樹脂フィルムは、外層フィルムと、中間層フィルムと、内層フィルムとの三種類の透明フィルムを重合接着して形成した積層フィルムであり、前記外層フィルムは、前記紫外線遮断剤を全面に塗工すると共に、一部の領域を除いて着色剤を塗工し、前記着色剤を塗工しない非着色領域を前記覗き窓部として形成した構成とし、前記中間層フィルムは、全面にアルミナを蒸着してガスバリア性を付与した構成とし、前記内層フィルムは、前記抗菌剤を塗工して抗菌性を付与した構成としたことを特徴とする請求項２記載の着物保管袋。
【請求項４】
前記外層フィルムは、ナイロンフィルムであることを特徴とする請求項３記載の着物保管袋。
【請求項５】
前記中間層フィルムは、ポリエステルフィルムであることを特徴とする請求項３，４のいずれか１項に記載の着物保管袋。
【請求項６】
前記内層フィルムは、ポリエチレンフィルムであることを特徴とする請求項３〜５のいずれか１項に記載の着物保管袋。
【請求項７】
前記内層フィルムは、前記中間層フィルムとの接着面と反対側面に低密度ポリエチレン樹脂層と直鎖状低密度ポリエチレン樹脂層とを形成した構成としたことを特徴とする請求項３〜６のいずれか１項に記載の着物保管袋。
【請求項８】
前記外層フィルムは、前記紫外線遮断剤を２回塗工した構成としたことを特徴とする請求項３〜７のいずれか１項に記載の着物保管袋。
【請求項９】
シート状に形成した除湿剤を備えた構成としたことを特徴とする請求項１〜８のいずれか１項に記載の着物保管袋。
【考案の詳細な説明】
【技術分野】
【０００１】
本考案は、和装着物の保管袋に関するものである。
【背景技術】
【０００２】
出願人は、この種の着物保管袋として、実用新案登録第３１７１０５１号（以下、従来例と称す）を提案している。
【０００３】
この従来例は、抗菌・消臭剤を含んだポリエチレンフィルムを採用した内層フィルムに、ポリビニルアルコールフィルムを採用した中間層フィルムを積層し、この中間層フィルムに、ポリプロピレンフィルムを採用した外層フィルムを積層して成る三層構造フィルムを用いて開口部を有する袋体を構成し、この袋体は、畳んだ着物を収納可能な形状に形成し、この袋体の開口部に、この開口部を開閉自在に密封するファスナーを設け、畳んだ着物とともに袋体内に収納可能なシート状の除湿剤を備えた構成として、畳んだ着物を袋体内に除湿剤とともに収納して開口部をファスナーで密封するだけで、虫やカビの発生及び湿気を防いで虫干し効果が得られるものである。
【先行技術文献】
【特許文献】
【０００４】
【特許文献１】実用新案登録第３１７１０５１号公報
【考案の概要】
【考案が解決しようとする課題】
【０００５】
しかしながら、この従来例は、着物を出し入れする開口部を袋体の短辺部に設けてあるために開口部の間口が狭く、着物を袋体内に収納しづらいため、着物を収納する際、着物に皺が生じてしまい、この皺が生じたまま保管されてしまう可能性があった。
【０００６】
また、保管状況によっては、紫外線が袋体を透過し、この透過した紫外線により色やけが生じてしまうこともあった。
【０００７】
更に、この従来例は、袋体内を外部から確認することができないため、袋体内に収納されている着物がどの着物であるかを確認する際は、一旦袋体を開封して収納されている着物を取り出して確認しなければならなかった。そのため、開封により袋体内の良好な保管状態が壊されるという問題があった。
【０００８】
本考案は、このような従来例の問題点に鑑みなされたもので、着物の出し入れが容易にでき、紫外線透過による色やけの発生を可及的に低減し、しかも、袋体内に収納した着物を、袋体を開封することなく容易に確認することができる実用性に優れた画期的な着物保管袋を提供することを目的とする。
【課題を解決するための手段】
【０００９】
添付図面を参照して本考案の要旨を説明する。
【００１０】
合成樹脂フィルム１を用いて平面視長方形の袋体２を形成し、この袋体２の一辺部に着物３を出し入れし得る開口部４を開閉自在に設けた着物保管袋において、前記袋体２は、全面に紫外線を遮断する紫外線遮断剤を塗工すると共に、透明な覗き窓部５を設けて、この覗き窓部５から前記袋体２内に収納した着物３を視認し得る構成とし、前記開口部４は、前記袋体２の一側長辺部に設けると共に、この一側長辺部全体が開口するように構成したことを特徴とする着物保管袋に係るものである。
【００１１】
また、前記合成樹脂フィルム１は、抗菌剤６を塗工すると共に、アルミナを蒸着した構成として、抗菌性とガスバリア性を付与した構成としたことを特徴とする請求項１記載の着物保管袋に係るものである。
【００１２】
また、前記合成樹脂フィルム１は、外層フィルム７と、中間層フィルム８と、内層フィルム９との三種類の透明フィルムを重合接着して形成した積層フィルムであり、前記外層フィルム７は、前記紫外線遮断剤を全面に塗工すると共に、一部の領域を除いて着色剤を塗工し、前記着色剤を塗工しない非着色領域を前記覗き窓部５として形成した構成とし、前記中間層フィルム８は、全面にアルミナを蒸着してガスバリア性を付与した構成とし、前記内層フィルム９は、前記抗菌剤６を塗工して抗菌性を付与した構成としたことを特徴とする請求項２記載の着物保管袋に係るものである。
【００１３】
また、前記外層フィルム７は、ナイロンフィルムであることを特徴とする請求項３記載の着物保管袋に係るものである。
【００１４】
また、前記中間層フィルム８は、ポリエステルフィルムであることを特徴とする請求項３，４のいずれか１項に記載の着物保管袋に係るものである。
【００１５】
また、前記内層フィルム９は、ポリエチレンフィルムであることを特徴とする請求項３〜５のいずれか１項に記載の着物保管袋に係るものである。
【００１６】
また、前記内層フィルム９は、前記中間層フィルム８との接着面と反対側面に低密度ポリエチレン樹脂層10と直鎖状低密度ポリエチレン樹脂層11とを形成した構成としたことを特徴とする請求項３〜６のいずれか１項に記載の着物保管袋に係るものである。
【００１７】
また、前記外層フィルム７は、前記紫外線遮断剤を２回塗工した構成としたことを特徴とする請求項３〜７のいずれか１項に記載の着物保管袋に係るものである。
【００１８】
また、シート状に形成した除湿剤12を備えた構成としたことを特徴とする請求項１〜８のいずれか１項に記載の着物保管袋に係るものである。
【考案の効果】
【００１９】
本考案は上述のように構成したから、着物の出し入れが容易にでき袋体内に収納した着物に皺ができにくく、また、紫外線の袋体内への透過が可及的に低減され、紫外線による色やけの発生が殆ど無くなる。
【００２０】
しかも、本考案は、覗き窓部から袋体内に収納した着物を確認することができるから、一々袋体を開封して収納している着物を取り出して確認する必要がないので、着物が外気に触れず、吸湿したり雑菌が付着したりする心配がなく、また、袋体内の良好な保管環境（湿気が排除され、除菌された環境）を壊さず、確認後も引き続き良好な保管環境で着物を保管することができる極めて実用性に優れた画期的な着物保管袋となる。
【図面の簡単な説明】
【００２１】
【図１】本実施例を示す斜視図である。
【図２】本実施例の使用状態を示す説明斜視図である。
【図３】本実施例の使用状態を示す説明斜視図である。
【図４】本実施例の合成樹脂フィルムの構造を示す説明図である。
【考案を実施するための形態】
【００２２】
好適と考える本考案の実施形態を、図面に基づいて本考案の作用を示して簡単に説明する。
【００２３】
本考案は、着物３を出し入れする開口部４を平面視長方形の袋体２の一側長辺部に設けて、この一側長辺部全体が開口する横長幅広形状としたから、間口が広い開口部４となり、よって、着物３の出し入れがし易くなり、着物３を袋体２内に収納する際もきれいに畳んだ着物３の形を崩すことなく袋体２内に収納することができ、皺ができず、皺の無いきれいな状態で着物３を保管することができる。
【００２４】
また、本考案は、合成樹脂フィルム１に塗工した紫外線遮断剤の効果により、袋体２内への紫外線の透過が可及的に低減し、袋体２内に収納した着物３の紫外線による色やけ等の劣化が可及的に低減される。
【００２５】
しかも、本考案は、袋体２の表面に覗き窓部５を形成し、この覗き窓部５を通じて袋体２内を視認可能な構成としたから、袋体２内に収納している着物３を確認する際に、一々袋体２を開封して収納している着物３を取り出さなくても、覗き窓部５から容易に確認できるので、確認作業が極めて容易にでき、しかも、袋体２を開封しないから、着物３が外気に触れず、吸湿したり雑菌が付着したりする心配もなく、また、袋体２内の良好な保管環境（例えば湿気が排除され、除菌された環境）を壊さず、確認後も引き続き良好な保管環境で着物３を保管することができる。
【００２６】
このように、本考案は、従来例に比べて、紫外線遮断特性の追加により、一層優れた保管特性を発揮し、更に、着物３の出し入れも一層容易になり、しかも、袋体２を開封することなく容易に収納した着物３を視認することができる極めて実用性に優れた画期的な着物保管袋となる。
【実施例】
【００２７】
本考案の具体的な実施例について図面に基づいて説明する。
【００２８】
本実施例は、合成樹脂フィルム１を用いて平面視長方形の袋体２を形成し、この袋体２の一辺部に着物３を出し入れし得る開口部４を開閉自在に設けた着物保管袋において、前記袋体２は、全面に紫外線を遮断する紫外線遮断剤を塗工すると共に、透明な覗き窓部５を設けて、この覗き窓部５から前記袋体２内に収納した着物３を視認し得る構成とし、前記開口部４は、前記袋体２の一側長辺部に設けると共に、この一側長辺部全体が開口するように構成したものである。
【００２９】
以下、本実施例に係る構成各部について詳細に説明する。
【００３０】
本実施例の袋体２は、図１に示すように、平面視長方形（長辺部長さ：９７０ｍｍ、短辺部長さ：４３０ｍｍ）の扁平状に形成し、図２，３に示すように、畳んでたとう紙13に包んだ着物３を複数枚（本実施例では三枚）重ねて収納できる構成としている。
【００３１】
具体的には、袋体２は、長方形状に形成した二枚の合成樹脂フィルム１を重ね合わせて、一側長辺部を除く三辺部をヒートシールして着接し、このヒートシールしなかった一側長辺部に開閉自在な開口部４を設けて開封密封自在な構成としている。
【００３２】
より具体的には、この一側長辺部に設けた開口部４は、この一側長辺部全体が開口する横長幅広形状とした間口が広い開口部４とすると共に、開口縁にファスナー14を設けて、このファスナー14の開閉操作により開閉自在に設けた構成としている。
【００３３】
更に具体的に説明すると、ファスナー14は、対向する開口縁の一方に設けた雄ファスナー部14Ａと、他方に設けた雌ファスナー部14Ｂと、この雄ファスナー部14Ａと雌ファスナー部14Ｂとを係脱自在に雌雄嵌合するスライダー15とからなる構成とし、この開口部４が開口している状態で前記スライダー15をスライド移動させると、雄ファスナー部14Ａと雌ファスナー部14Ｂとが雌雄嵌合して開口部４が閉口し袋体２を密封閉塞状態にできる構成としている。
【００３４】
また、この袋体２を構成する合成樹脂フィルム１は、外層フィルム７と、中間層フィルム８と、内層フィルム９との三種類の透明フィルムを重合接着して形成した積層フィルムであり、本実施例では、外層フィルム７にナイロンフィルム、中間層フィルム８にポリエステルフィルム、内層フィルム９にポリエチレンフィルムを採用した構成としている。
【００３５】
具体的には、外層フィルム７は、厚さ１５μｍの透明なナイロンフィルムの全面に紫外線を吸収若しくは反射する紫外線遮断剤を全面に塗工すると共に、一部の領域を除いて着色剤（本実施例では、ベージュ色、茶色、ピンク色）を塗工し、着色剤を塗工しない非着色領域を覗き窓部５として形成した構成としている。
【００３６】
また、本実施例では、紫外線遮断剤を二度塗りして、より紫外線の遮断効果を高めた構成としている。
【００３７】
尚、本実施例では、前記紫外線遮断剤及び前記着色剤は、印刷により塗工している。
【００３８】
また、覗き窓部５は、たとう紙13に設けられている窓部16の形状に合わせて横長形状に形成し、たとう紙13に包んだ着物３を袋体２に収納した際、このたとう紙13の窓部16が見えるように、扁平状に形成した袋体２の重なり合う二面のいずれか一方の面の開口部４を設けた長辺部とは反対側の長辺部寄りに設けて、この覗き窓部５からたとう紙13に設けられた窓部16を通じて袋体２内に収納した着物３を視認できるように構成している。
【００３９】
また、中間層フィルム８は、厚さ１２μｍの透明なポリエステルフィルムの全面にアルミナ（透明）を蒸着してガスバリア性を付与した構成としている。
【００４０】
また、内層フィルム９は、厚さ３０μｍの透明なポリエチレンフィルム（具体的には、本実施例では直鎖状低密度ポリエチレンフィルムを採用）の内側面（前記中間層フィルム８との接着面の反対側面）の全面に低密度ポリエチレン樹脂層10を形成し、この低密度ポリエチレン樹脂層10上に直鎖状低密度ポリエチレン樹脂層11を形成し、更に、この直鎖状低密度ポリエチレン樹脂層11上に抗菌剤６を塗工した構成としている。尚、低密度ポリエチレン樹脂層10及び直鎖状低密度ポリエチレン樹脂層11は、抗菌剤６を塗工するための下地層である。
【００４１】
より具体的には、低密度ポリエチレン樹脂層10は、米粒状に形成した低密度ポリエチレンペレットを溶かしたものを厚さ２０μｍの厚さで塗工して形成した構成とし、また、直鎖状低密度ポリエチレン樹脂層11は、米粒状に形成した直鎖状低密度ポリエチレンペレットを溶かしたものを厚さ３０μｍの厚さで塗工して形成した構成としている。
【００４２】
また、抗菌剤６は、銀イオンを含有した抗菌剤６を採用している。尚、抗菌剤６については、本実施例に限られるものではない。
【００４３】
このように、本実施例の合成樹脂フィルム１は、図４に示すような多層（６層）構造からなり、各層に夫々所定の機能を付し、これらの機能の相互作用により保管性能の向上が図られている。
【００４４】
また、本実施例は、畳んでたとう紙13に包んだ着物３と共に袋体２内に収納し得るシート状に形成した除湿剤12を備えた構成としている。
【００４５】
具体的には、除湿剤12は、吸湿性に優れたシリカゲルに、浄化・消臭機能を有する炭（本実施例では備長炭を採用）を配合してなるものを採用している。
【００４６】
上述のように構成した本実施例の作用・効果について以下に説明する。
【００４７】
本実施例は、着物３を出し入れする開口部４を一側長辺部に設けて、この一側長辺部全体が開口する横長幅広形状としたから、間口の広い開口部４となり着物３の出し入れがし易くなる。よって、着物３を袋体２内に収納する際もきれいに畳んだ着物３の形を崩すことなく袋体２内に収納することができ、収納時に着物３に皺ができず、皺の無いきれいな状態で着物３を保管することができる。
【００４８】
また、本実施例は、袋体２に覗き窓部５を設けたから、袋体２内に収納している着物３を確認する際に、一々袋体２を開封して収納している着物３を取り出さなくても覗き窓部５から容易に確認できるので、確認作業が極めて容易にでき、しかも、袋体２を開封しないから、着物３が外気に触れず、吸湿したり雑菌が付着したりする心配もなく、また、袋体２内の良好な保管環境（湿気が排除され、除菌された環境）を壊さず、確認後も引き続き良好な保管環境で着物３を保管することができる。
【００４９】
しかも、本実施例は、透明な外層フィルム７の非着色領域を覗き窓部５として形成した構成としたから、極めて容易に覗き窓部５を形成することができる。
【００５０】
また、本実施例は、この外層フィルム７にナイロンフィルムを採用したから、耐久性、耐摩耗性に優れ、更に、この外層フィルム７の全面（覗き窓部５を含む）に塗工した紫外線遮断剤の効果により、袋体２内に紫外線が透過せず、袋体２内に収納した着物３の紫外線による劣化（色やけなど）が可及的に低減される。
【００５１】
また、本実施例は、中間層フィルム８に施したアルミナ蒸着により、ガスバリア性が向上し、湿気を含んだ空気の袋体２内への侵入を遮断し、袋体２内における結露の発生が抑制されることと、内層フィルム９に塗工した抗菌剤６の効果により、虫食いを引き起こす害虫やカビの繁殖が抑制される。
【００５２】
また更に、本実施例は、着物３と共に袋体２内に収納し得るシート状に形成した除湿剤12を備えた構成としたから、着物３と共にこの除湿剤12を袋体２に収納することで、袋体２を開封した際に袋体２内に侵入した空気に含まれる水分をこの除湿剤12が除去して袋体２内を着物の保管に適した湿度に調節すると共に、消臭効果も発揮し、長期保管しても嫌な臭いが付着しない。
【００５３】
このように、本実施例の着物保管袋は、従来例に比べて、紫外線遮断特性の追加やガスバリア性の向上により優れた保管特性（抗菌・防虫・調湿・消臭効果等）を発揮し、更に、着物３の出し入れも一層容易になり、しかも、袋体２を開封することなく容易に収納した着物３を視認することができる極めて実用性に優れた画期的な着物保管袋となる。
【００５４】
尚、本考案は、本実施例に限られるものではなく、各構成要件の具体的構成は適宜設計し得るものである。
【符号の説明】
【００５５】
１  合成樹脂フィルム
２  袋体
３  着物
４  開口部
５  覗き窓部
６  抗菌剤
７  外層フィルム
８  中間層フィルム
９  内層フィルム
10  低密度ポリエチレン樹脂層
11  直鎖状低密度ポリエチレン樹脂層
12  除湿剤
【図１】
0003194168.tif 000003
【図２】
0003194168.tif 000004
【図３】
0003194168.tif 000005
【図４】
0003194168.tif 000006